(57)【要約】  【課題】  正確な時刻を取得し、取得した正確な時刻を確実にデジタルコンテンツの著作権保護に反映させる。  【解決手段】  デジタルコンテンツ処理装置（電子ブック）１に、所定の基準時刻電波を受信し、この基準時刻電波に含まれる正確な時刻を示す基準時刻情報を取得する基準時刻情報取得手段１７を設ける。利用制限確認手段１８は、この基準時刻情報と、表示又は再生を行おうとしているデジタルコンテンツに係る利用制限情報（利用可能期間情報）とを比較することによってデジタルコンテンツの表示又は再生の可否を決定する。特に、ユーザが入力手段を用いて所定の操作を行った場合にのみ、所定の基準時刻電波の受信及び基準時刻情報の取得が行われるようにすることによって、ユーザの操作に応じて、効率よく正確な時刻情報を取得することも可能である。【選択図】  図２
2005070903.tif 000002
【特許請求の範囲】
【請求項１】
デジタルコンテンツの内容を表示又は再生するためのデジタルコンテンツ処理装置であって、
前記デジタルコンテンツ及び前記デジタルコンテンツの利用を制限する時刻情報を含む利用制限情報を取得するコンテンツ取得手段と、
所定の基準時刻電波を受信し、前記基準時刻電波内に含まれる基準時刻情報を取得する基準時刻情報取得手段と、
前記コンテンツ取得手段によって取得された前記利用制限情報と、前記基準時刻情報取得手段によって取得された前記基準時刻情報とを参照して、前記デジタルコンテンツの表示又は再生の可否を決定する利用制限確認手段とを、
有するデジタルコンテンツ処理装置。
【請求項２】
デジタルコンテンツの内容を表示又は再生するためのデジタルコンテンツ処理装置であって、
前記デジタルコンテンツ及び前記デジタルコンテンツの利用を制限する時刻情報を含む利用制限情報を取得するコンテンツ取得手段と、
所定の基準時刻電波を受信し、前記基準時刻電波内に含まれる基準時刻情報を取得する基準時刻情報取得手段と、
前記基準時刻情報取得手段によって取得された前記基準時刻情報のみを参照して時刻合わせを行い、現在時刻を計時する現在時刻管理手段と、
前記コンテンツ取得手段によって取得された前記利用制限情報と、前記現在時刻管理手段が示す前記現在時刻とを参照して、前記デジタルコンテンツの表示又は再生の可否を決定する利用制限確認手段とを、
有するデジタルコンテンツ処理装置。
【請求項３】
ユーザが操作を行うための入力手段を有しており、前記ユーザが前記入力手段を用いて所定の操作を行った場合にのみ、前記基準時刻情報取得手段が、前記所定の基準時刻電波を受信し、前記基準時刻電波内に含まれる前記基準時刻情報を取得するよう構成されている請求項１又は２に記載のデジタルコンテンツ処理装置。
【請求項４】
書籍データの内容を表示するための持ち運び可能な電子書籍表示装置であって、
前記書籍データの内容を表示するための表示手段と、
前記書籍データ及び前記書籍データの利用を制限する時刻情報を含む利用制限情報を取得するコンテンツ取得手段と、
所定の基準時刻電波を受信し、前記基準時刻電波内に含まれる基準時刻情報を取得する基準時刻情報取得手段と、
前記コンテンツ取得手段によって取得された前記利用制限情報と、前記基準時刻情報取得手段によって取得された前記基準時刻情報とを参照して、前記書籍データの表示の可否を決定する利用制限確認手段とを、
有する電子書籍表示装置。
【請求項５】
書籍データの内容を表示するための持ち運び可能な電子書籍表示装置であって、
前記書籍データの内容を表示するための表示手段と、
前記書籍データ及び前記書籍データの利用を制限する時刻情報を含む利用制限情報を取得するコンテンツ取得手段と、
所定の基準時刻電波を受信し、前記基準時刻電波内に含まれる基準時刻情報を取得する基準時刻情報取得手段と、
前記基準時刻情報取得手段によって取得された前記基準時刻情報のみを参照して時刻合わせを行い、現在時刻を計時する現在時刻管理手段と、
前記コンテンツ取得手段によって取得された前記利用制限情報と、前記現在時刻管理手段が示す前記現在時刻とを参照して、前記書籍データの表示の可否を決定する利用制限確認手段とを、
有する電子書籍表示装置。
【請求項６】
前記ユーザが操作を行うための入力手段を有しており、前記ユーザが前記入力手段を用いて所定の操作を行った場合に、前記基準時刻情報取得手段が、前記所定の基準時刻電波を受信し、前記基準時刻電波内に含まれる前記基準時刻情報を取得するよう構成されている請求項４又は５に記載の電子書籍表示装置。
【請求項７】
前記ユーザによる前記所定の操作が、前記書籍データの内容のページ送りに係る操作である請求項６に記載の電子書籍表示装置。
【請求項８】
前記ユーザによる前記所定の操作が、前記書籍データの一覧の書棚表示に係る操作である請求項６に記載の電子書籍表示装置。
【請求項９】
前記書籍データを格納する記憶媒体を挿入するための記憶媒体挿入部と、
前記記憶媒体挿入部に前記記憶媒体が挿入されたことを検知する記憶媒体検知手段とを、
有しており、前記記憶媒体検知手段が前記記憶媒体の挿入を検知した場合に、前記基準時刻情報取得手段が、前記所定の基準時刻電波を受信し、前記基準時刻電波内に含まれる前記基準時刻情報を取得するよう構成されている請求項４又は５に記載の電子書籍表示装置。
【請求項１０】
当該電子書籍表示装置が２つ折り可能な折り畳み構造であり、前記折り畳み構造が閉状態から開状態となることを検知する開閉検知手段を有しており、前記開閉検知手段が、前記折り畳み構造が前記閉状態から前記開状態となったことを検知した場合に、前記基準時刻情報取得手段が、前記所定の基準時刻電波を受信し、前記基準時刻電波内に含まれる前記基準時刻情報を取得するよう構成されている請求項４又は５に記載の電子書籍表示装置。
【請求項１１】
当該電子書籍表示装置が電池により駆動するものであり、前記電池の装着を検知する電池装着検知手段を有しており、前記電池装着検知手段が前記電池の装着を検知した場合に、前記基準時刻情報取得手段が、前記所定の基準時刻電波を受信し、前記基準時刻電波内に含まれる前記基準時刻情報を取得するよう構成されている請求項４又は５に記載の電子書籍表示装置。
【請求項１２】
前記表示手段に表示するスクリーンセーバの起動及び停止を管理するスクリーンセーバ管理手段を有し、前記スクリーンセーバ管理手段が前記スクリーンセーバの停止を行う場合に、前記基準時刻情報取得手段が、前記所定の基準時刻電波を受信し、前記基準時刻電波内に含まれる前記基準時刻情報を取得するよう構成されている請求項４又は５に記載の電子書籍表示装置。
【請求項１３】
前記表示手段が記憶型液晶ディスプレイにより構成されており、前記書籍データの表示の変更を行う場合にのみ、前記表示手段に対して電力が供給されるよう構成されている請求項６から１２のいずれか１つに記載の電子書籍表示装置。
【発明の詳細な説明】
【技術分野】
【０００１】
本発明は、デジタルコンテンツの表示や再生などを行うデジタルコンテンツ処理装置に関し、特に、持ち運び可能であり、書籍データの表示を行う電子書籍表示装置（電子ブック）に関する。
【背景技術】
【０００２】
現在、書籍や楽曲などの様々なデジタルコンテンツを表示したり再生したりすることが可能なデジタルコンテンツ処理装置が普及している。しかしながら、こうしたデジタルコンテンツは、元のクオリティを保ちながら複製や配布などを行うことが容易である。その結果、デジタルコンテンツの不正な再生及び複製や、インターネットなどの通信ネットワークを利用した不正な配布などが頻繁に行われるなど、デジタルコンテンツの提供側の利益侵害やデジタルコンテンツの著作権侵害が発生している。
【０００３】
こうした問題に対処するため、デジタルコンテンツの著作権保護を目的としたＤＲＭ（デジタルライツマネジメント：Digital Rights Management）と呼ばれる技術が存在している。このＤＲＭによるデジタルコンテンツの著作権保護方法には、例えば、デジタルコンテンツの再生や表示などに係る利用回数、複製回数、移動回数、チェックイン／チェックアウト回数などを制限する回数制限と、コンテンツの利用可能な期間を制限する時間制限とが存在する。
【０００４】
上記の時間制限によるデジタルコンテンツの著作権保護は、さらに、デジタルコンテンツの利用が可能な期間の開始日時や終了日時を設定する時刻制限と、利用可能時間の長さを設定する期間制限とに大別される。上記の時間制限によるデジタルコンテンツの利用制限が行われる場合（特に、時刻制限によるデジタルコンテンツの利用制限が行われる場合）、デジタルコンテンツ処理装置は、その内蔵時計の時刻に基づいて、デジタルコンテンツの利用が可能か否かを判断することとなる。しかしながら、こうした内蔵時計の時刻は、ユーザによって容易に修正可能であり、デジタルコンテンツの利用を目的として、ユーザは、時刻を修正することによって、時間制限によるデジタルコンテンツの著作権保護機能を実質的に無力化することが可能である。
【０００５】
一方、例えば、下記の特許文献１には、パーソナルコンピュータの内蔵時計の精度を高めるために、電波時計を利用する旨が開示されている。この特許文献１に記載の技術では、所定の通信（ＦＭ多重通信）の電波に含まれている時刻情報を利用して、パーソナルコンピュータの内蔵時計の時刻合わせを行っており、さらに、時計回路の駆動を常に維持できるように、時計駆動用の電源として、太陽電池及び２次電池を用いるようにしている。
【特許文献１】特開平９−３１９４６０号公報（段落００１１−００２８、図１−４）
【０００６】
なお、特許文献１では、時刻合わせにＦＭ多重通信の電波が利用されているが、時刻情報を含む電波としては、例えば、ＪＪＹ（登録商標）標準電波やＧＰＳ衛星電波などが存在する。本明細書では、このように時刻情報を含む電波を基準時刻電波と呼び、基準時刻電波に含まれている時刻情報を基準時刻情報と呼ぶことにする。
【発明の開示】
【発明が解決しようとする課題】
【０００７】
上記のように、時間制限によるデジタルコンテンツの著作権保護においては、正確な時刻を取得し、取得した正確な時刻を確実にデジタルコンテンツの著作権保護に反映させることが求められる。しかしながら、例えば、特許文献１に記載の技術によれば、正確な時刻を取得し、この時刻情報をパーソナルコンピュータの内蔵時計に反映させることは可能である一方、ユーザが、パーソナルコンピュータの内蔵時計を不正に改ざんすることは容易なままである。したがって、特許文献１に記載のパーソナルコンピュータの内蔵時計が示す時刻情報は、デジタルコンテンツの著作権を保護するために参照する時刻情報としては、依然として信頼性に欠けるものである。
【０００８】
また、特許文献１に記載されているように、電波時計を常に駆動させる構成とした場合、結果的に多大な電力を消費する必要が生じる。しかしながら、例えば、電子ブック、ＰＤＡ、携帯電話機などの携帯性を重視した携帯端末は、内蔵バッテリ（充電バッテリ）の電力消費を極力抑えて、１回の充電で長時間動作可能とすることが要請されており、電波時計を常に駆動させることは、この要請に逆行することになる。
【０００９】
上記課題を解決するため、本発明は、正確な時刻を取得し、取得した正確な時刻を確実にデジタルコンテンツの著作権保護に反映させることが可能なデジタルコンテンツ処理装置及び電子書籍表示装置を提供することを第１の目的とする。また、さらに、本発明は、正確な時刻の取得処理に係るバッテリの電力消費を極力抑えて、限られた電力において長時間の動作が可能となるデジタルコンテンツ処理装置及び電子書籍表示装置を提供することを第２の目的とする。
【課題を解決するための手段】
【００１０】
上記目的を達成するため、本発明のデジタルコンテンツ処理装置は、デジタルコンテンツの内容を表示又は再生するためのデジタルコンテンツ処理装置であって、
前記デジタルコンテンツ及び前記デジタルコンテンツの利用を制限する時刻情報を含む利用制限情報を取得するコンテンツ取得手段と、
所定の基準時刻電波を受信し、前記基準時刻電波内に含まれる基準時刻情報を取得する基準時刻情報取得手段と、
前記コンテンツ取得手段によって取得された前記利用制限情報と、前記基準時刻情報取得手段によって取得された前記基準時刻情報とを参照して、前記デジタルコンテンツの表示又は再生の可否を決定する利用制限確認手段とを、
有している。
この構成により、正確な時刻を取得し、取得した正確な時刻を確実にデジタルコンテンツの著作権保護に反映させることが可能となる。
【００１１】
また、上記目的を達成するため、本発明のデジタルコンテンツ処理装置は、デジタルコンテンツの内容を表示又は再生するためのデジタルコンテンツ処理装置であって、
前記デジタルコンテンツ及び前記デジタルコンテンツの利用を制限する時刻情報を含む利用制限情報を取得するコンテンツ取得手段と、
所定の基準時刻電波を受信し、前記基準時刻電波内に含まれる基準時刻情報を取得する基準時刻情報取得手段と、
前記基準時刻情報取得手段によって取得された前記基準時刻情報のみを参照して時刻合わせを行い、現在時刻を計時する現在時刻管理手段と、
前記コンテンツ取得手段によって取得された前記利用制限情報と、前記現在時刻管理手段が示す前記現在時刻とを参照して、前記デジタルコンテンツの表示又は再生の可否を決定する利用制限確認手段とを、
有している。
この構成により、正確な時刻を取得し、取得した正確な時刻を確実にデジタルコンテンツの著作権保護に反映させることが可能となる。
【００１２】
さらに、本発明のデジタルコンテンツ処理装置は、ユーザが操作を行うための入力手段を有しており、前記ユーザが前記入力手段を用いて所定の操作を行った場合にのみ、前記基準時刻情報取得手段が、前記所定の基準時刻電波を受信し、前記基準時刻電波内に含まれる前記基準時刻情報を取得するよう構成されている。
この構成により、ユーザによる所定の操作を契機として、効率よく正確な時刻を取得することが可能となる。
【００１３】
また、上記目的を達成するため、本発明の電子書籍表示装置は、書籍データの内容を表示するための持ち運び可能な電子書籍表示装置であって、
前記書籍データの内容を表示するための表示手段と、
前記書籍データ及び前記書籍データの利用を制限する時刻情報を含む利用制限情報を取得するコンテンツ取得手段と、
所定の基準時刻電波を受信し、前記基準時刻電波内に含まれる基準時刻情報を取得する基準時刻情報取得手段と、
前記コンテンツ取得手段によって取得された前記利用制限情報と、前記基準時刻情報取得手段によって取得された前記基準時刻情報とを参照して、前記書籍データの表示の可否を決定する利用制限確認手段とを、
有している。
この構成により、正確な時刻を取得し、取得した正確な時刻を確実にデジタルコンテンツの著作権保護に反映させることが可能となる。
【００１４】
また、上記目的を達成するため、本発明の電子書籍表示装置は、書籍データの内容を表示するための持ち運び可能な電子書籍表示装置であって、
前記書籍データの内容を表示するための表示手段と、
前記書籍データ及び前記書籍データの利用を制限する時刻情報を含む利用制限情報を取得するコンテンツ取得手段と、
所定の基準時刻電波を受信し、前記基準時刻電波内に含まれる基準時刻情報を取得する基準時刻情報取得手段と、
前記基準時刻情報取得手段によって取得された前記基準時刻情報のみを参照して時刻合わせを行い、現在時刻を計時する現在時刻管理手段と、
前記コンテンツ取得手段によって取得された前記利用制限情報と、前記現在時刻管理手段が示す前記現在時刻とを参照して、前記書籍データの表示の可否を決定する利用制限確認手段とを、
有している。
この構成により、正確な時刻を取得し、取得した正確な時刻を確実にデジタルコンテンツの著作権保護に反映させることが可能となる。
【００１５】
さらに、本発明の電子書籍表示装置は、前記ユーザが操作を行うための入力手段を有しており、前記ユーザが前記入力手段を用いて所定の操作を行った場合に、前記基準時刻情報取得手段が、前記所定の基準時刻電波を受信し、前記基準時刻電波内に含まれる前記基準時刻情報を取得するよう構成されている。
この構成により、ユーザによる所定の操作を契機として、効率よく正確な時刻を取得することが可能となる。
【００１６】
さらに、本発明の電子書籍表示装置は、前記ユーザによる前記所定の操作が、前記書籍データの内容のページ送りに係る操作である。
この構成により、ユーザによる書籍データの内容のページ送りに係る操作を契機として、効率よく正確な時刻を取得することが可能となる。
【００１７】
さらに、本発明の電子書籍表示装置は、前記ユーザによる前記所定の操作が、前記書籍データの一覧の書棚表示に係る操作である。
この構成により、ユーザによる書籍データの一覧の書棚表示に係る操作を契機として、効率よく正確な時刻を取得することが可能となる。
【００１８】
さらに、本発明の電子書籍表示装置は、前記書籍データを格納する記憶媒体を挿入するための記憶媒体挿入部と、
前記記憶媒体挿入部に前記記憶媒体が挿入されたことを検知する記憶媒体検知手段とを、
有しており、前記記憶媒体検知手段が前記記憶媒体の挿入を検知した場合に、前記基準時刻情報取得手段が、前記所定の基準時刻電波を受信し、前記基準時刻電波内に含まれる前記基準時刻情報を取得するよう構成されている。
この構成により、記憶媒体挿入部への記憶媒体の挿入を契機として、効率よく正確な時刻を取得することが可能となる。
【００１９】
さらに、本発明の電子書籍表示装置は、当該電子書籍表示装置が２つ折り可能な折り畳み構造であり、前記折り畳み構造が閉状態から開状態となることを検知する開閉検知手段を有しており、前記開閉検知手段が、前記折り畳み構造が前記閉状態から前記開状態となったことを検知した場合に、前記基準時刻情報取得手段が、前記所定の基準時刻電波を受信し、前記基準時刻電波内に含まれる前記基準時刻情報を取得するよう構成されている。
この構成により、電子書籍表示装置の折り畳み構造が閉状態から開状態になったときを契機として、効率よく正確な時刻を取得することが可能となる。
【００２０】
さらに、本発明の電子書籍表示装置は、当該電子書籍表示装置が電池により駆動するものであり、前記電池の装着を検知する電池装着検知手段を有しており、前記電池装着検知手段が前記電池の装着を検知した場合に、前記基準時刻情報取得手段が、前記所定の基準時刻電波を受信し、前記基準時刻電波内に含まれる前記基準時刻情報を取得するよう構成されている。
この構成により、電子書籍表示装置に電池が装着されたときを契機として、効率よく正確な時刻を取得することが可能となる。
【００２１】
さらに、本発明の電子書籍表示装置は、前記表示手段に表示するスクリーンセーバの起動及び停止を管理するスクリーンセーバ管理手段を有し、前記スクリーンセーバ管理手段が前記スクリーンセーバの停止を行う場合に、前記基準時刻情報取得手段が、前記所定の基準時刻電波を受信し、前記基準時刻電波内に含まれる前記基準時刻情報を取得するよう構成されている。
この構成により、スクリーンセーバを起動している場合に、このスクリーンセーバの停止を契機として、効率よく正確な時刻を取得することが可能となる。
【００２２】
さらに、本発明の電子書籍表示装置は、前記表示手段が記憶型液晶ディスプレイにより構成されており、前記書籍データの表示の変更を行う場合にのみ、前記表示手段に対して電力が供給されるよう構成されている。
この構成により、電子書籍表示装置の達成すべき必須要件である電力の節約を確実に実現することが可能となる。
【発明の効果】
【００２３】
本発明のデジタルコンテンツ処理装置及び電子書籍表示装置は、所定の基準時刻電波を受信して、基準時刻電波内に含まれる基準時刻情報を取得し、この基準時刻情報と、表示又は再生しようとしているデジタルコンテンツに係る利用制限情報（利用可能期間に係る情報）との比較を行うことによって、デジタルコンテンツの表示又は再生の可否を決定するものであり、正確な時刻を取得し、取得した正確な時刻を確実にデジタルコンテンツの著作権保護に反映させることができるという効果を有する。
【００２４】
また、本発明のデジタルコンテンツ処理装置及び電子書籍表示装置は、所定の基準時刻電波を受信して、基準時刻電波内に含まれる基準時刻情報を取得し、この基準時刻情報に基づいて内蔵時計の時刻合わせを行う一方、この基準時刻情報に基づいて時刻合わせが行われた内蔵時計の示す現在時刻と、表示又は再生しようとしているデジタルコンテンツに係る利用制限情報（利用可能期間に係る情報）との比較を行うことによって、デジタルコンテンツの表示又は再生の可否を決定するものであり、正確な時刻を取得し、取得した正確な時刻を確実にデジタルコンテンツの著作権保護に反映させることができるという効果を有する。
【発明を実施するための最良の形態】
【００２５】
以下、図面を参照しながら、本発明の第１から第６の実施の形態について説明する。なお、以下の説明では、本発明に係るデジタルコンテンツ処理装置として、電子ブックを用いた場合について説明するが、デジタルコンテンツの再生や表示が可能なパーソナルコンピュータや携帯端末など、電子ブック以外のデジタルコンテンツ処理装置に本発明を適用することも可能である。
【００２６】
まず、本発明の第１から第６の実施の形態における電子ブックの構成について説明する。図１は、本発明の第１から第６の実施の形態に共通した電子ブックの外観を示す図である。図１に示す電子ブック１は、折り畳み式かつ２画面表示の電子ブック１であり、第１の表示部２ａ及び第２の表示部２ｂがそれぞれはめ込まれた左右一対の部材３ａ及び３ｂ、ヒンジ部４、操作スイッチ部（操作ボタン群）５、コンテンツ格納手段挿入部６、左右一対の嵌合部７ａ及び７ｂ、左右一対のすべり止め部８ａ及び８ｂを有している。
【００２７】
第１の表示部２ａを有する部材３ａと、第２の表示部２ｂを有する部材３ｂとは、中央のヒンジ部４で連結されており、このヒンジ部４を対称軸として、略左右対称な形状となっている。また、この電子ブック１は、ヒンジ部４を基軸（回動軸）として、部材３ａ及び３ｂを左右両方向に見開くことができるよう構成されている。これにより、第１の表示部２ａ及び第２の表示部２ｂを見開き状態とすることが可能となり、通常の書籍や雑誌などと同様の形態とすることができる。
【００２８】
また、この電子ブック１を使用しない場合には、第１の表示部２ａ及び第２の表示部２ｂを重ね合わせるようにして閉じ、一対の嵌合部７ａ及び７ｂによって閉じた状態を固定することが可能であり、持ち運びの際などに、第１の表示部２ａ及び第２の表示部２ｂを保護することが可能である。また、第１の表示部２ａ及び第２の表示部２ｂには、例えば、液晶を使用した液晶ディスプレイを利用することによって、表示画面の奥行き方向（厚さ）を薄くし、電子ブック１の小型化を実現し、携帯性を向上させることができる。
【００２９】
また、特に、第１の表示部２ａ及び第２の表示部２ｂに、記憶型液晶ディスプレイを採用することが望ましい。この記憶型液晶ディスプレイは、デジタルコンテンツの画面表示の瞬間のみ電力を必要とし、画面表示後は、電力消費がゼロでその表示画面を維持することが可能なものであり、例えば、コレスティック液晶素子によって実現可能である。この記憶型液晶ディスプレイは、例えば、表示画面上の動きがない書籍や雑誌のページを表示し、ユーザがその表示画面上に表示されている内容を読んでいる間は、１つの表示画面を表示し続ける必要がある電子ブックにとって特に有用であり、これによって、超低消費電力を実現することが可能となる。
【００３０】
また、ユーザは、操作スイッチ部５を用いて、デジタルコンテンツの選択、ページめくりやページ送りの操作、表示の回転や拡大・縮小、縦書き表示／横書き表示などの表示モード設定、しおりページの設定や解除、インデックスページやしおりページの表示など、各種の操作を行うことが可能である。なお、第１の表示部２ａ及び第２の表示部２ｂに記憶型液晶ディスプレイを採用した場合には、主電源のＯＮ／ＯＦＦを行うための電源ボタンを設ける必要はない。この理由は、記憶型液晶ディスプレイが画面表示の瞬間のみ電力を必要とし、画面表示後は表示処理に電力を必要としないからであり、すなわち、ユーザの操作に応じた処理を行った後、直ちに主電力（表示処理に必要な電力）をＯＦＦ状態にすることが可能だからである。
【００３１】
なお、例えば、ユーザによる操作スイッチ部５の押下などを判定するために、操作スイッチ部５に係る待機電力（ユーザの操作を識別するための電力）を常時ＯＮ状態にしておく必要があるが、この待機電力は微弱なものである。また、後述のように、本発明では、電波時計機能（後述の日時データ受信手段）を用いた基準時刻情報の取得を行い、この基準時刻情報に基づいてデジタルコンテンツの表示の可否を決定するので、操作スイッチ部５の操作による時刻情報の設定や変更などが行えないようにすることが望ましい。
【００３２】
また、コンテンツ格納手段挿入部６は、表示画面に表示する様々なコンテンツが電子データとして格納されているコンテンツ格納手段（可搬性記憶媒体）９を挿入するための挿入箇所であり、その内部には、コンテンツ格納手段９からデジタルコンテンツを読み出すためのインターフェイスが設けられている。電子ブック１は、このコンテンツ格納手段挿入部６に挿入されたコンテンツ格納手段９からデジタルコンテンツを読み出し、その内容を第１の表示部２ａ及び第２の表示部２ｂに表示することが可能である。
【００３３】
また、電子ブック１には、左右一対のすべり止め部８ａ及び８ｂが設けられている。このすべり止め部８ａ及び８ｂによって、ユーザは電子ブック１を把持しやすくなり、電子ブック１の把持を長時間行った場合でも疲労が最小限に抑えられる。また、特に、図１に示すような２画面表示の電子ブック１の場合には、左右一対の部材３ａ及び３ｂのそれぞれに、左右対称となるようにすべり止め部８ａ及び８ｂを設けるようにすることが望ましい。
【００３４】
なお、ここでは、コンテンツ格納手段９からデジタルコンテンツを読み出して表示する場合を説明しているが、電子ブック１に内蔵されたハードディスクなどのコンテンツ格納手段からデジタルコンテンツを読み出すことも可能であり、また、外部ネットワークを経由してデジタルコンテンツの受信を可能とするコンテンツ受信手段を設けることも可能である。また、不図示ではあるが、電子ブック１にスピーカなどの音声出力手段を設けることも可能であり、第１の表示部２ａ及び第２の表示部２ｂに文字情報や画像情報を表示する際に、同時にデジタルコンテンツに係る音声を出力することも可能である。
【００３５】
＜第１の実施の形態＞
次に、本発明の第１の実施の形態における電子ブックの内部構成及び処理動作について説明する。図２は、本発明の第１の実施の形態における電子ブックの内部構成を示すブロック図である。図２に示す電子ブック１は、制御手段１１、表示手段１２、入力手段１３、電源管理手段１４、コンテンツ読み出し手段１５、書棚管理手段１６、基準時刻情報取得手段１７、利用制限確認手段１８を有している。
【００３６】
制御手段１１は、画像データの生成処理を始めとする電子ブック１に係る主な処理を行う処理制御部であり、例えば、ＣＰＵ（中央処理ユニット：Central Processing Unit）によって実現可能である。また、表示手段１２は、図１に示す第１の表示部２ａ及び第２の表示部２ｂに対応するものである。例えば、コンテンツ読み出し手段１５によってコンテンツ格納手段９から読み出されたデジタルコンテンツや、コンテンツ格納手段９に格納されているコンテンツ一覧などに係る情報が、制御手段１１で処理され、画像情報として表示手段１２によって表示される。
【００３７】
また、入力手段１３は、図１に示す操作スイッチ部５に対応するものであり、ユーザが、閲覧する書籍（デジタルコンテンツ）の選択や、書籍の閲覧の際のページ送り／ページめくり指示などを行うためのものである。また、電源管理手段１４は、コンテンツの表示処理などを行う際に必要となる主電力を供給する主電源のＯＮ／ＯＦＦ制御や、主電源ＯＦＦ時の待機電力の制御などを行うものである。
【００３８】
また、コンテンツ読み出し手段１５は、図１に示すコンテンツ格納手段挿入部６に対応するものであり、コンテンツ格納手段９からデジタルコンテンツを読み出すインターフェイスを有している。また、書棚管理手段１６は、コンテンツ格納手段９に格納されているデジタルコンテンツの一覧を書棚表示（図１５を参照）によって表示するためのデータを生成するものである。なお、図１５は、本発明の第１から第６の実施の形態に共通した書棚表示の一例を示す図である。図１５に示す書棚表示は、各デジタルコンテンツが書棚に並べられた書籍の画像のそれぞれに対応しており、書棚に並べられた書籍の背表紙によって、現在閲覧可能なデジタルコンテンツの一覧、又は、コンテンツ格納手段９に格納されているデジタルコンテンツの一覧が表示されることにより、デジタルコンテンツの存在や内容を把握しやすくするものである。
【００３９】
また、基準時刻情報取得手段１７は、所定の基準時刻電波を受信し、その受信信号から基準時刻情報を取得する電波時計の機能を有するものである。なお、この基準時刻情報は、非常に正確な時刻情報である。また、利用制限確認手段１８は、デジタルコンテンツに係る利用制限（特に、時刻制限）と、基準時刻情報取得手段１７によって取得された基準時刻情報とを比較し、デジタルコンテンツの利用の可否を決定するものである。すなわち、この利用制限確認手段１８によって、デジタルコンテンツが利用可能であることが確認された場合のみ、表示手段１２にそのデジタルコンテンツの内容が表示されることとなる。
【００４０】
次に、図２に示す電子ブック１の処理動作について説明する。図３は、本発明の第１の実施の形態における電子ブックの処理を示すフローチャートである。電子ブック１に電池が投入された場合には、電子ブック１は、所定の初期画面データの表示などを行った後、主電源がＯＦＦとなって、ユーザからの操作入力を待機する待機状態となる（ステップＳ１０１で『いいえ』）。
【００４１】
ユーザが、例えば、入力手段１３に対応する電子ブックの操作スイッチ部５のボタンを押下した場合（ステップＳ１０１で『はい』）には、電源管理手段１４からの指示に応じて制御手段１１を始めとする各内部構成手段の主電源がＯＮとなり（ステップＳ１０３）、操作された入力手段１３の種類に応じて、それぞれ異なる処理が行われる。ここでは、ユーザによる操作が、ページ送り操作の場合（ステップＳ１０５で『はい』）、選択書籍決定操作の場合（ステップＳ１０７で『はい』）、書棚表示操作の場合（ステップＳ１０９で『はい』）、その他の操作の場合（ステップＳ１０９で『いいえ』）について、それぞれ説明する。なお、ページ送り操作は、例えば、ユーザが実際にデジタルコンテンツ（ここでは、電子ブックを一例として挙げており、以下、デジタルコンテンツを書籍データと呼ぶ）の内容を閲覧する場合に発生し、選択書籍決定操作、書棚表示操作の場合、その他の操作などは、例えば、ユーザが閲覧可能な書籍データの一覧を確認したり、新たに閲覧を行おうとする書籍データを決定したりする場合に生じるものである。
【００４２】
ユーザによる操作がページ送り操作の場合には、基準時刻情報取得手段１７が、基準時刻電波の受信を行って、その受信信号から基準時刻情報を取得し（ステップＳ１１１）、この基準時刻情報を利用制限確認手段１８に供給する。一方、ユーザのページ送り操作に応じて、利用制限確認手段１８は、ユーザが閲覧を行う書籍データ、あるいは、その書籍データの閲覧ページに係る利用制限情報（時刻制限情報）を参照して、基準時刻情報と書籍データに係る利用制限情報とを比較し、例えば、基準時刻情報が示す現在時刻が、書籍データの利用制限情報によって規定されるコンテンツ利用可能期間内か否かを判断する（ステップＳ１１３）。そして、書籍データが利用可能であると判断された場合には、ページ送り操作による画面データ（具体的には、次のページの画面データ）を生成し（ステップＳ１１５）、書籍データが利用不可能であると判断された場合には、例えば、書籍データが有効期限切れであることを示す画面データを生成する（ステップＳ１１７）。
【００４３】
また、ユーザによる操作が選択書籍決定操作の場合には、コンテンツ読み出し手段１５が、選択された書籍データをコンテンツ格納手段９から読み出すとともに（ステップＳ１１９）、選択された書籍データに設定されている利用制限情報を読み出して、この利用制限情報を利用制限確認手段１８が参照可能なように、所定のメモリ内にセットする（ステップＳ１２１）。そして、ユーザによって選択された書籍データの表紙画面データを生成する（ステップＳ１２３）。
【００４４】
また、ユーザによる操作が書棚表示操作の場合には、コンテンツ読み出し手段１５は、コンテンツ格納手段９内の書籍一覧データを取得し（ステップＳ１２５）、この書籍一覧データに基づき、コンテンツ格納手段９内に格納されている書籍データの一覧を閲覧することができる書棚画面データを生成する（ステップＳ１２７）。
【００４５】
また、ユーザによる操作がその他の操作の場合には、その操作に応じた画面データを生成する。例えば、ユーザによる操作が、カーソル移動操作の場合には、カーソル移動による画面データを生成する（ステップＳ１２９）。
【００４６】
そして、表示手段１２によって、ステップＳ１１５、Ｓ１１７、Ｓ１２３、Ｓ１２７、Ｓ１２９のいずれか１つにおける処理によって生成された画面データが表示され（ステップＳ１３１）、主電源がＯＦＦとなって（ステップＳ１３３）、再び、ユーザからの操作入力を待機する待機状態となる。
【００４７】
以上のように、本発明の第１の実施の形態によれば、ユーザがページ送り操作を行った場合にのみ、基準時刻電波を受信して正確な時刻を示す基準時刻情報を取得し、この基準時刻情報を基にして書籍データの利用の可否を決定することにより、ユーザのページ送り操作を契機として基準時刻情報の取得が行われ、ユーザによる操作の待機状態時などの主電源がＯＦＦのときに基準時刻情報の取得が行われることはなく、電子ブック１の達成すべき必須要件である電力の節約を確実に実現することが可能となる。
【００４８】
また、ユーザによる書籍データの閲覧と同時に、正確な時刻に基づく書籍データの閲覧可否の決定を行うことが可能となり、さらに、不正な時刻情報の設定が可能となってしまう内蔵時計を電子ブック１内に設けずに、正確な時刻情報を取得することが可能となる。なお、基準時刻情報取得手段１７による基準時刻電波の受信及び基準時刻情報の取得は、ページ送り操作のたびに毎回行う必要はなく、例えば、所定の回数ごと、又は、ランダムなタイミングで行うようにすることも可能である。
【００４９】
また、例えば、基準時刻情報取得手段１７が任意に定められたタイミングで取得した基準時刻情報によって、例えば、後述の現在時刻管理手段（内蔵時計）１９の時刻合わせを行い、ユーザによる書籍データの閲覧と同時に、現在時刻管理手段１９が示す時刻に基づいて、書籍データの閲覧可否の決定を行うようにすることも可能である。なお、この場合には、現在時刻管理手段１９の時刻は基準時刻情報取得手段１７のみに基づいて決定されるよう構成するなど、ユーザの操作によって現在時刻管理手段１９の時刻の改ざんが不可能なように構成することが望ましい。
【００５０】
＜第２の実施の形態＞
次に、本発明の第２の実施の形態における電子ブックの内部構成及び処理動作について説明する。図４は、本発明の第２の実施の形態における電子ブックの内部構成を示すブロック図である。図４に示す電子ブック１は、制御手段１１、表示手段１２、入力手段１３、電源管理手段１４、コンテンツ読み出し手段１５、書棚管理手段１６、基準時刻情報取得手段１７、利用制限確認手段１８、現在時刻管理手段１９を有している。
【００５１】
現在時刻管理手段１９は、計時機能を有する内蔵時計であり、基準時刻情報取得手段１７によって取得された基準時刻情報を参照して時刻合わせが行われる。この現在時刻管理手段１９の時刻は基準時刻情報取得手段１７のみに基づいて決定されるよう構成されており、ユーザの操作による現在時刻管理手段１９の時刻合わせは不可能なように構成されている。なお、制御手段１１、表示手段１２、入力手段１３、電源管理手段１４、コンテンツ読み出し手段１５、書棚管理手段１６、基準時刻情報取得手段１７、利用制限確認手段１８の主な機能は、第１の実施の形態で説明したものと同一であり、ここでは説明を省略する。
【００５２】
次に、図４に示す電子ブック１の処理動作について説明する。図５は、本発明の第２の実施の形態における電子ブックの処理を示すフローチャートである。第１の実施の形態と同様に、電子ブック１に電池が投入された場合には、電子ブック１は、所定の初期画面データの表示などを行った後、主電源がＯＦＦとなって、ユーザからの操作入力を待機する待機状態となる（ステップＳ２０１で『いいえ』）。また、ユーザが、例えば、入力手段１３に対応する電子ブックの操作スイッチ部５のボタンを押下した場合（ステップＳ２０１で『はい』）には、電源管理手段１４からの指示に応じて制御手段１１を始めとする各内部構成手段の主電源がＯＮとなり（ステップＳ２０３）、操作された入力手段１３の種類に応じて、ページ送り操作（ステップＳ２０５で『はい』）、選択書籍決定操作（ステップＳ２０７で『はい』）、書棚表示操作（ステップＳ２０９で『はい』）、その他の操作（ステップＳ２０９で『いいえ』）のそれぞれに係る処理が行われる。
【００５３】
ユーザによる操作がページ送り操作の場合には、まず、利用制限確認手段１８が、現在時刻管理手段１９が示す時刻情報と、ユーザが閲覧を行う書籍データ、あるいは、その書籍データの閲覧ページに係る利用制限情報（時刻制限情報）とを参照して、この時刻情報と書籍データに係る利用制限情報とを比較し、例えば、現在時刻管理手段１９が示す現在時刻が、書籍データの利用制限情報によって規定されるコンテンツ利用可能期間内か否かを判断する（ステップＳ２１１）。そして、書籍データが利用可能であると判断された場合には、ページ送り操作による画面データ（具体的には、次のページの画面データ）を生成し（ステップＳ２１３）、書籍データが利用不可能であると判断された場合には、例えば、書籍データが有効期限切れであることを示す画面データを生成する（ステップＳ２１５）。
【００５４】
また、ユーザによる操作が選択書籍決定操作の場合には、第１の実施の形態のステップＳ１１９〜Ｓ１２３と同様に、コンテンツ読み出し手段１５が、選択された書籍データをコンテンツ格納手段９から読み出すとともに（ステップＳ２１７）、選択された書籍データに設定されている利用制限情報を読み出して、この利用制限情報を利用制限確認手段１８が参照可能なように、所定のメモリ内にセットする（ステップＳ２１９）。そして、ユーザによって選択された書籍データの表紙画面データを生成する（ステップＳ２２１）。
【００５５】
また、ユーザによる操作が書棚表示操作の場合には、基準時刻情報取得手段１７が、基準時刻電波の受信を行って、その受信信号から基準時刻情報を取得し（ステップＳ２２３）、この基準時刻情報を現在時刻管理手段１９に供給する。そして、現在時刻管理手段１９は、基準時刻情報取得手段１７によって取得された基準時刻情報に基づいて、内蔵時計の時刻を更新する（ステップＳ２２５）。一方、コンテンツ読み出し手段１５は、コンテンツ格納手段９内の書籍一覧データを取得し（ステップＳ２２７）、この書籍一覧データに基づき、コンテンツ格納手段９内に格納されている書籍データの一覧を閲覧することができる書棚画面データを生成する（ステップＳ２２９）。
【００５６】
また、ユーザによる操作がその他の操作の場合には、その操作に応じた画面データを生成する。例えば、ユーザによる操作が、カーソル移動操作の場合には、カーソル移動による画面データを生成する（ステップＳ２３１）。そして、表示手段１２によって、ステップＳ２１３、Ｓ２１５、Ｓ２２１、Ｓ２２９、Ｓ２３１のいずれか１つにおける処理によって生成された画面データが表示され（ステップＳ２３３）、主電源がＯＦＦとなって（ステップＳ２３５）、再び、ユーザからの操作入力を待機する待機状態となる。
【００５７】
以上のように、本発明の第２の実施の形態によれば、ユーザが書棚表示操作を行った場合にのみ、基準時刻電波を受信して正確な時刻を示す基準時刻情報を取得し、この基準時刻情報に基づいて現在時刻管理手段１９の内蔵時計の時刻合わせを行い、この現在時刻管理手段１９が示す時刻に基づいて書籍データの利用の可否を決定することにより、ユーザの書棚表示操作を契機として基準時刻情報の取得が行われ、ユーザによる操作の待機状態時などの主電源がＯＦＦのときに基準時刻情報の取得が行われることはなく、電子ブック１の達成すべき必須要件である電力の節約を確実に実現することが可能となる。
【００５８】
また、ユーザによる書籍データの閲覧と同時に、現在時刻管理手段１９が示す正確な時刻に基づく書籍データの閲覧可否の決定を行うことが可能となり、さらに、ユーザによる内蔵時計の時刻合わせを不可能とすることによって、ユーザによる不正な時刻改ざんをなくし、正確な時刻情報を取得することが可能となる。なお、基準時刻情報取得手段１７による基準時刻電波の受信及び基準時刻情報の取得は、書棚表示操作のたびに毎回行う必要はなく、例えば、所定の回数ごと、又は、ランダムなタイミングで行うようにすることも可能である。
【００５９】
＜第３の実施の形態＞
次に、本発明の第３の実施の形態における電子ブックの内部構成及び処理動作について説明する。図６は、本発明の第３の実施の形態における電子ブックの内部構成を示すブロック図である。図６に示す電子ブック１は、制御手段１１、表示手段１２、入力手段１３、電源管理手段１４、コンテンツ読み出し手段１５、書棚管理手段１６、基準時刻情報取得手段１７、利用制限確認手段１８、現在時刻管理手段１９、記憶媒体検知手段２０を有している。
【００６０】
記憶媒体検知手段２０は、電子ブック１の筐体に設けられている所定の箇所（図１に示すコンテンツ格納手段挿入部６）に、コンテンツ格納手段（可搬性記憶媒体）９が挿入された場合に、コンテンツ格納手段９が挿入されたことを検知して、検知信号を出力する手段である。なお、制御手段１１、表示手段１２、入力手段１３、電源管理手段１４、コンテンツ読み出し手段１５、書棚管理手段１６、基準時刻情報取得手段１７、利用制限確認手段１８の主な機能は、第１の実施の形態で説明したものと同一であり、また、現在時刻管理手段１９の主な機能は、第２の実施の形態で説明したものと同一であり、ここでは説明を省略する。
【００６１】
次に、図６に示す電子ブック１の処理動作について説明する。図７は、本発明の第３の実施の形態における電子ブックの処理を示すフローチャートである。電子ブック１に電池が投入された場合には、電子ブック１は、所定の初期画面データの表示などを行った後、主電源がＯＦＦとなって、ユーザからの操作入力、又は、コンテンツ格納手段９の挿入を待機する待機状態となる（ステップＳ３０１で『いいえ』及びステップＳ３３３で『いいえ』）。
【００６２】
ユーザが、例えば、入力手段１３に対応する電子ブックの操作スイッチ部５のボタンを押下した場合（ステップＳ３０１で『はい』）には、電源管理手段１４からの指示に応じて制御手段１１を始めとする各内部構成手段の主電源がＯＮとなり（ステップＳ３０３）、操作された入力手段１３の種類に応じて、ページ送り操作（ステップＳ３０５で『はい』）、選択書籍決定操作（ステップＳ３０７で『はい』）、書棚表示操作（ステップＳ３０９で『はい』）、その他の操作（ステップＳ３０９で『いいえ』）のそれぞれに係る処理が行われる。
【００６３】
ユーザによる操作がページ送り操作の場合には、ステップＳ３１１〜Ｓ３１５において、第２の実施の形態におけるステップＳ２１１〜Ｓ２１５と同一の処理が行われる。また、ユーザによる操作が選択書籍決定操作の場合には、ステップＳ３１７〜Ｓ３２１において、第１の実施の形態におけるステップＳ１１９〜Ｓ１２３と同一の処理が行われる。ステップＳ３２３、Ｓ３２５において、第１の実施の形態におけるステップＳ１２５、Ｓ１２７と同一の処理が行われる。ステップＳ３２７において、第１の実施の形態におけるステップＳ１２９と同一の処理が行われる。そして、表示手段１２によって、ステップＳ３１３、Ｓ３１５、Ｓ３２１、Ｓ３２５、Ｓ３２７のいずれか１つにおける処理によって生成された画面データが表示され（ステップＳ３２９）、主電源がＯＦＦとなって（ステップＳ３３１）、再び、ユーザからの操作入力を待機する待機状態となる。
【００６４】
一方、電子ブック１の筐体に設けられている所定の箇所に、コンテンツ格納手段９が挿入された場合（ステップＳ３３３で『はい』）には、記憶媒体検知手段２０は、コンテンツ格納手段９が挿入されたことを検知して検知信号を出力し、電源管理手段１４が電子ブック１の主電源をＯＮとする（ステップＳ３３５）。そして、基準時刻情報取得手段１７が、基準時刻電波の受信を行って、その受信信号から基準時刻情報を取得し（ステップＳ３３７）、この基準時刻情報を現在時刻管理手段１９に供給し、現在時刻管理手段１９は、基準時刻情報取得手段１７によって取得された基準時刻情報に基づいて、内蔵時計の時刻を更新する（ステップＳ３３９）。そして、主電源がＯＦＦとなって（ステップＳ３３１）、再び、ユーザからの操作入力を待機する待機状態となる。
【００６５】
以上のように、本発明の第３の実施の形態によれば、ユーザが、電子ブック１の筐体に設けられている所定の箇所にコンテンツ格納手段９を挿入した場合にのみ、基準時刻電波を受信して正確な時刻を示す基準時刻情報を取得し、この基準時刻情報に基づいて現在時刻管理手段１９の内蔵時計の時刻合わせを行い、この現在時刻管理手段１９が示す時刻に基づいて書籍データの利用の可否を決定することにより、ユーザによるコンテンツ格納手段９の挿入を契機として基準時刻情報の取得が行われ、ユーザによる操作の待機状態時などの主電源がＯＦＦのときに基準時刻情報の取得が行われることはなく、電子ブック１の達成すべき必須要件である電力の節約を確実に実現することが可能となる。
【００６６】
また、ユーザによる書籍データの閲覧と同時に、現在時刻管理手段１９が示す正確な時刻に基づく書籍データの閲覧可否の決定を行うことが可能となり、さらに、ユーザによる内蔵時計の時刻合わせを不可能とすることによって、ユーザによる不正な時刻改ざんをなくし、正確な時刻情報を取得することが可能となる。なお、基準時刻情報取得手段１７による基準時刻電波の受信及び基準時刻情報の取得は、コンテンツ格納手段９の挿入のたびに毎回行う必要はなく、例えば、所定の回数ごと、又は、ランダムなタイミングで行うようにすることも可能である。
【００６７】
＜第４の実施の形態＞
次に、本発明の第４の実施の形態における電子ブックの内部構成及び処理動作について説明する。図８は、本発明の第３の実施の形態における電子ブックの内部構成を示すブロック図である。図８に示す電子ブック１は、制御手段１１、表示手段１２、入力手段１３、電源管理手段１４、コンテンツ読み出し手段１５、書棚管理手段１６、基準時刻情報取得手段１７、利用制限確認手段１８、現在時刻管理手段１９、端末開閉検知手段２１を有している。
【００６８】
端末開閉検知手段２１は、例えば、電子ブック１のヒンジ部４や嵌合部７ａ及び７ｂなどに設けられ、第１の表示部２ａを有する部材３ａ及び第２の表示部２ｂを有する部材３ｂが閉状態（折り畳まれた状態）から開状態（見開き状態）となった場合を検知して、検知信号を出力する手段である。なお、制御手段１１、表示手段１２、入力手段１３、電源管理手段１４、コンテンツ読み出し手段１５、書棚管理手段１６、基準時刻情報取得手段１７、利用制限確認手段１８の主な機能は、第１の実施の形態で説明したものと同一であり、また、現在時刻管理手段１９の主な機能は、第２の実施の形態で説明したものと同一であり、ここでは説明を省略する。
【００６９】
次に、図８に示す電子ブック１の処理動作について説明する。図９は、本発明の第４の実施の形態における電子ブックの処理を示すフローチャートである。電子ブック１に電池が投入された場合には、電子ブック１は、所定の初期画面データの表示などを行った後、主電源がＯＦＦとなって、ユーザからの操作入力、又は、電子ブックの閉状態から開状態への変化を待機する待機状態となる（ステップＳ４０１で『いいえ』及びステップＳ４３３で『いいえ』）。なお、ステップＳ４０１〜Ｓ４３１は、第３の実施の形態のステップＳ３０１〜Ｓ３３１と同一であり、説明を省略する。
【００７０】
ユーザが、電子ブック１を閉状態から開状態に変化させた場合（すなわち、電子ブック１を開いた場合）（ステップＳ４３３で『はい』）には、端末開閉検知手段２１は、ユーザが操作又は書籍データの閲覧を行うために開状態にしたことを検知して検知信号を出力し、電源管理手段１４が電子ブック１の主電源をＯＮとする（ステップＳ４３５）。そして、基準時刻情報取得手段１７が、基準時刻電波の受信を行って、その受信信号から基準時刻情報を取得し（ステップＳ４３７）、この基準時刻情報を現在時刻管理手段１９に供給し、現在時刻管理手段１９は、基準時刻情報取得手段１７によって取得された基準時刻情報に基づいて、内蔵時計の時刻を更新する（ステップＳ４３９）。そして、主電源がＯＦＦとなって（ステップＳ４３１）、再び、ユーザからの操作入力を待機する待機状態となる。
【００７１】
以上のように、本発明の第４の実施の形態によれば、ユーザが、電子ブック１を開いた場合にのみ、基準時刻電波を受信して正確な時刻を示す基準時刻情報を取得し、この基準時刻情報に基づいて現在時刻管理手段１９の内蔵時計の時刻合わせを行い、この現在時刻管理手段１９が示す時刻に基づいて書籍データの利用の可否を決定することにより、ユーザが電子ブック１を開いたことを契機として基準時刻情報の取得が行われ、ユーザによる操作の待機状態時などの主電源がＯＦＦのときに基準時刻情報の取得が行われることはなく、電子ブック１の達成すべき必須要件である電力の節約を確実に実現することが可能となる。
【００７２】
また、ユーザによる書籍データの閲覧と同時に、現在時刻管理手段１９が示す正確な時刻に基づく書籍データの閲覧可否の決定を行うことが可能となり、さらに、ユーザによる内蔵時計の時刻合わせを不可能とすることによって、ユーザによる不正な時刻改ざんをなくし、正確な時刻情報を取得することが可能となる。なお、基準時刻情報取得手段１７による基準時刻電波の受信及び基準時刻情報の取得は、ユーザが電子ブック１を開くたびに毎回行う必要はなく、例えば、所定の回数ごと、又は、ランダムなタイミングで行うようにすることも可能である。
【００７３】
＜第５の実施の形態＞
次に、本発明の第５の実施の形態における電子ブックの内部構成及び処理動作について説明する。図１０は、本発明の第５の実施の形態における電子ブックの内部構成を示すブロック図である。図１０に示す電子ブック１は、制御手段１１、表示手段１２、入力手段１３、電源管理手段１４、コンテンツ読み出し手段１５、書棚管理手段１６、基準時刻情報取得手段１７、利用制限確認手段１８、現在時刻管理手段１９、電池装着検知手段２２を有している。
【００７４】
電池装着検知手段２２は、電子ブック１の電池装着箇所である電池ボックスなどに設けられており、新たに電池が装着されたことを検知して、検知信号を出力する手段である。なお、制御手段１１、表示手段１２、入力手段１３、電源管理手段１４、コンテンツ読み出し手段１５、書棚管理手段１６、基準時刻情報取得手段１７、利用制限確認手段１８の主な機能は、第１の実施の形態で説明したものと同一であり、また、現在時刻管理手段１９の主な機能は、第２の実施の形態で説明したものと同一であり、ここでは説明を省略する。
【００７５】
次に、図１０に示す電子ブック１の処理動作について説明する。図１１は、本発明の第５の実施の形態における電子ブックの処理を示すフローチャートである。まず、電子ブック１に電池が投入された場合には、電池装着検知手段２２が新たに電池が装着されたことを検知して検知信号を出力し（ステップＳ５９１）、電源管理手段１４が電子ブック１の主電源をＯＮとする（ステップＳ５９３）。そして、基準時刻情報取得手段１７が、基準時刻電波の受信を行って、その受信信号から基準時刻情報を取得し（ステップＳ５９５）、この基準時刻情報を現在時刻管理手段１９に供給し、現在時刻管理手段１９は、基準時刻情報取得手段１７によって取得された基準時刻情報に基づいて、内蔵時計の時刻を更新する（ステップＳ５９７）。そして、主電源がＯＦＦとなって（ステップＳ５３１）、ユーザからの操作入力を待機する待機状態となる。その後、ユーザからの操作入力があった場合の処理（ステップＳ５０１〜Ｓ５３１）は、第３の実施の形態のステップＳ３０１〜Ｓ３３１と同一であり、説明を省略する。
【００７６】
以上のように、本発明の第５の実施の形態によれば、ユーザが、電池を装着した場合にのみ、基準時刻電波を受信して正確な時刻を示す基準時刻情報を取得し、この基準時刻情報に基づいて現在時刻管理手段１９の内蔵時計の時刻合わせを行い、この現在時刻管理手段１９が示す時刻に基づいて書籍データの利用の可否を決定することにより、ユーザが電池を装着したことを契機として基準時刻情報の取得が行われ、ユーザによる操作の待機状態時などの主電源がＯＦＦのときに基準時刻情報の取得が行われることはなく、電子ブック１の達成すべき必須要件である電力の節約を確実に実現することが可能となる。
【００７７】
また、ユーザによる書籍データの閲覧と同時に、現在時刻管理手段１９が示す正確な時刻に基づく書籍データの閲覧可否の決定を行うことが可能となり、さらに、ユーザによる内蔵時計の時刻合わせを不可能とすることによって、ユーザによる不正な時刻改ざんをなくし、正確な時刻情報を取得することが可能となる。なお、基準時刻情報取得手段１７による基準時刻電波の受信及び基準時刻情報の取得は、ユーザが電池を装着するたびに毎回行う必要はなく、例えば、所定の回数ごと、又は、ランダムなタイミングで行うようにすることも可能である。
【００７８】
＜第６の実施の形態＞
次に、本発明の第６の実施の形態における電子ブックの内部構成及び処理動作について説明する。図１２は、本発明の第６の実施の形態における電子ブックの内部構成を示すブロック図である。図１２に示す電子ブック１は、制御手段１１、表示手段１２、入力手段１３、電源管理手段１４、コンテンツ読み出し手段１５、書棚管理手段１６、基準時刻情報取得手段１７、利用制限確認手段１８、現在時刻管理手段１９、スクリーンセーバ管理手段２３を有している。
【００７９】
スクリーンセーバ管理手段２３は、例えば、ユーザが所定時間以上操作を行わなかった場合に、表示画面の保護や表示画面の初期化を目的として、表示画面上において所定のスクリーンセーバ画面の表示の管理を行い、また、スクリーンセーバが起動しているか否かを記憶する手段である。なお、スクリーンセーバが起動する上述の所定時間は、例えば、ユーザが表示画面上に表示された書籍データなどの閲覧が十分に可能な程度に長く設定されることが望ましい。また、スクリーンセーバ画面としては、動画データや静止画データなどを用いることが可能であるが、電力の節約が要請されている電子ブック１の場合には、静止画データを用いることが望ましく、特に、記憶型液晶ディスプレイを搭載した電子ブック１の場合には、所定時間の経過を契機として、スクリーンセーバ画面として所定の静止画データの表示を行うことによって、スクリーンセーバ画面の表示処理を行うタイミングでのみ電力を消費する一方、その他の時間に関しては、画面表示などの処理を行う必要はなく、電力を節約することが可能となる。
【００８０】
なお、制御手段１１、表示手段１２、入力手段１３、電源管理手段１４、コンテンツ読み出し手段１５、書棚管理手段１６、基準時刻情報取得手段１７、利用制限確認手段１８の主な機能は、第１の実施の形態で説明したものと同一であり、また、現在時刻管理手段１９の主な機能は、第２の実施の形態で説明したものと同一であり、ここでは説明を省略する。
【００８１】
次に、図１２に示す電子ブック１の処理動作について説明する。図１３は、本発明の第６の実施の形態における電子ブックの処理を示すフローチャートである。電子ブック１に電池が投入された場合には、電子ブック１は、所定の初期画面データの表示などを行った後、主電源がＯＦＦとなって、ユーザからの操作入力を待機する待機状態となる（ステップＳ６０１で『いいえ』及びステップＳ６３３で『いいえ』）。
【００８２】
この待機状態時に、ユーザによる操作入力が所定時間を経過しても行われなかった場合（ステップＳ６３３で『はい』）には、主電源がＯＮとなり（ステップＳ６３５）、スクリーンセーバ画面データを生成する（ステップＳ６３７）とともに、スクリーンセーバ管理手段２３がスクリーンセーバを起動中の状態であることを記憶する（ステップＳ６３９）。そして、主電源がＯＦＦとなって（ステップＳ６３１）、再び、ユーザからの操作入力を待機する待機状態となる。
【００８３】
一方、ユーザからの操作入力があった場合、基本的な処理の流れは、第３の実施の形態と同一であるが（すなわち、ステップＳ６０１〜Ｓ６３１は、例えば、第３の実施の形態のステップＳ３０１〜Ｓ３３１と同一）、この第６の実施の形態では、ユーザの操作に応じたそれぞれの処理を行う前に、スクリーンセーバが起動中か否かを参照し（ステップＳ６５１、Ｓ６６１、Ｓ６７１、Ｓ６８１）、スクリーンセーバが起動中の場合には、基準時刻情報に基づいた時刻合わせを行う（ステップＳ６５３、Ｓ６６３、Ｓ６７３、Ｓ６８３）ようにしている。
【００８４】
図１４は、図１３に示す時刻合わせの詳細な処理動作を示すフローチャートである。なお、この図１４は、図１３に示す時刻合わせ（ステップＳ６５３、Ｓ６６３、Ｓ６７３、Ｓ６８３）の詳細な処理動作を示すものである。ステップＳ６５３、Ｓ６６３、Ｓ６７３、Ｓ６８３では、まず、基準時刻情報取得手段１７が、基準時刻電波の受信を行って、その受信信号から基準時刻情報を取得し（ステップＳ６９１）、この基準時刻情報を現在時刻管理手段１９に供給する。そして、現在時刻管理手段１９は、基準時刻情報取得手段１７によって取得された基準時刻情報に基づいて、内蔵時計の時刻を更新する（ステップＳ６９３）。そして、スクリーンセーバ管理手段２３内のスクリーンセーバ起動状態の記憶をクリア（スクリーンセーバが起動していない状態であることを記憶）する（ステップＳ６９５）。この処理動作の後に、ユーザの各操作に応じた処理を行うことにより、表示画面をスクリーンセーバ画面表示からユーザの各操作に応じた表示に更新することによって、スクリーンセーバ起動状態が終了すると同時に、基準時刻情報による時刻合わせを行うことが可能となる。
【００８５】
以上のように、本発明の第６の実施の形態によれば、ユーザが、操作を行ってスクリーンセーバ起動状態が終了した場合にのみ、基準時刻電波を受信して正確な時刻を示す基準時刻情報を取得し、この基準時刻情報に基づいて現在時刻管理手段１９の内蔵時計の時刻合わせを行い、この現在時刻管理手段１９が示す時刻に基づいて書籍データの利用の可否を決定することにより、ユーザの操作によるスクリーンセーバ起動状態の終了を契機として基準時刻情報の取得が行われ、ユーザによる操作の待機状態時などの主電源がＯＦＦのときに基準時刻情報の取得が行われることはなく、電子ブック１の達成すべき必須要件である電力の節約を確実に実現することが可能となる。
【００８６】
また、ユーザによる書籍データの閲覧と同時に、現在時刻管理手段１９が示す正確な時刻に基づく書籍データの閲覧可否の決定を行うことが可能となり、さらに、ユーザによる内蔵時計の時刻合わせを不可能とすることによって、ユーザによる不正な時刻改ざんをなくし、正確な時刻情報を取得することが可能となる。なお、基準時刻情報取得手段１７による基準時刻電波の受信及び基準時刻情報の取得は、スクリーンセーバの起動状態が終了するたびに毎回行う必要はなく、例えば、所定の回数ごと、又は、ランダムなタイミングで行うようにすることも可能である。
【００８７】
上記の第１〜第６の実施の形態では、電子ブック１において、ユーザの様々な操作を契機として、基準時刻情報の取得や内蔵時計の時刻合わせを行い、書籍データの利用制限情報との比較を行うことによって、正確な時刻を用いて確実に書籍データの著作権保護を図る場合について説明したが、本発明は上記の第１〜第６の実施の形態に限定されるものではない。すなわち、上述の操作以外のユーザによる操作が行われた場合や、書籍データ以外のデジタルコンテンツに関しても、同様の処理によって、正確な時刻を用いて確実にデジタルコンテンツの著作権保護を図ることが可能である。
【００８８】
また、特に、著作権管理に用いられる内蔵時計に関しては、ユーザによる時刻合わせを不可能として、基準時刻情報取得手段１７によって受信した基準時刻電波に含まれる基準時刻情報のみを参照して時刻合わせを行うようにしたり、内蔵時計を設けずに基準時刻電波に含まれる基準時刻情報を直接参照したりするよう構成することによって、基準時刻電波に含まれる基準時刻情報のみを参照して、デジタルコンテンツの著作権保護を行うことが可能である。すなわち、電子ブック１に限らず、携帯電話機やＰＤＡなどの携帯端末全般において、基準時刻情報取得手段１７によって受信した基準時刻電波に含まれる基準時刻情報のみを参照して、デジタルコンテンツの利用制限情報との比較を行うことによって、本発明の目的であるデジタルコンテンツの著作権保護を確実に達成することが可能である。
【産業上の利用可能性】
【００８９】
本発明のデジタルコンテンツ処理装置及び電子書籍表示装置は、正確な時刻を取得し、取得した正確な時刻を確実にデジタルコンテンツの著作権保護に反映させることができるという効果を有し、時刻による利用制限が設定されているデジタルコンテンツの表示や再生などを行うデジタルコンテンツ処理装置及び電子書籍表示装置として有用である。
【図面の簡単な説明】
【００９０】
【図１】本発明の第１から第６の実施の形態に共通した電子ブックの外観を示す図
【図２】本発明の第１の実施の形態における電子ブックの内部構成を示すブロック図
【図３】本発明の第１の実施の形態における電子ブックの処理を示すフローチャート
【図４】本発明の第２の実施の形態における電子ブックの内部構成を示すブロック図
【図５】本発明の第２の実施の形態における電子ブックの処理を示すフローチャート
【図６】本発明の第３の実施の形態における電子ブックの内部構成を示すブロック図
【図７】本発明の第３の実施の形態における電子ブックの処理を示すフローチャート
【図８】本発明の第４の実施の形態における電子ブックの内部構成を示すブロック図
【図９】本発明の第４の実施の形態における電子ブックの処理を示すフローチャート
【図１０】本発明の第５の実施の形態における電子ブックの内部構成を示すブロック図
【図１１】本発明の第５の実施の形態における電子ブックの処理を示すフローチャート
【図１２】本発明の第６の実施の形態における電子ブックの内部構成を示すブロック図
【図１３】本発明の第６の実施の形態における電子ブックの処理を示すフローチャート
【図１４】図１３に示す時刻合わせの詳細な処理動作を示すフローチャート
【図１５】本発明の第１から第６の実施の形態に共通した書棚表示の一例を示す図
【符号の説明】
【００９１】
１  電子ブック（デジタルコンテンツ処理装置）
２ａ  第１の表示部
２ｂ  第２の表示部
３ａ、３ｂ  部材
４  ヒンジ部
５  操作スイッチ部（操作ボタン群）
６  コンテンツ格納手段挿入部
７ａ、７ｂ  嵌合部
８ａ、８ｂ  すべり止め部
９  コンテンツ格納手段（可搬性記憶媒体）
１１  制御手段
１２  表示手段
１３  入力手段
１４  電源管理手段
１５  コンテンツ読み出し手段
１６  書棚管理手段
１７  基準時刻情報取得手段
１８  利用制限確認手段
１９  現在時刻管理手段
２０  記憶媒体検知手段
２１  端末開閉検知手段
２２  電池装着検知手段
２３  スクリーンセーバ管理手段
【図１】
2005070903.tif 000003
【図２】
2005070903.tif 000004
【図３】
2005070903.tif 000005
【図４】
2005070903.tif 000006
【図５】
2005070903.tif 000007
【図６】
2005070903.tif 000008
【図７】
2005070903.tif 000009
【図８】
2005070903.tif 000010
【図９】
2005070903.tif 000011
【図１０】
2005070903.tif 000012
【図１１】
2005070903.tif 000013
【図１２】
2005070903.tif 000014
【図１３】
2005070903.tif 000015
【図１４】
2005070903.tif 000016
【図１５】
2005070903.tif 000017